(57)【特許請求の範囲】
【請求項１】
複数のニューズグループに対してそれぞれ投稿されている記事を各ニューズグループの参照範囲とするシステムの記事を参照する装置において、
複数のニューズグループにそれぞれ割り当てられている画像の領域を規定する領域情報に、該各領域の画像に対応するニューズグループの識別情報を含めて記憶する手段と、
前記複数のニューズグループにそれぞれ割り当てられている画像を表示する表示手段と、
ニューズグループを階層化するサブニューズグループを表現した部品の情報を記憶する手段と、
該サブニューズグループを表現した部品を表示する表示手段と、
該表示手段により表示されているサブニューズグループを表現した部品の中から部品の選択と、複数のニューズグループの領域のいずれかに、前記部品を貼り付ける位置の指定を受け付ける受付手段と、
該受付手段により前記選択した部品を貼り付ける位置の指定を受け付けることにより、前記選択された部品が表現するサブニューズグループを、該部品が指定された位置を含む前記領域に対応するニューズグループのサブニューズグループとして階層化して設定する手段とを備えたことを特徴とする記事参照装置。
【請求項２】
ログイン時に利用者名を受け付ける利用者名受付手段と、
利用者名と、利用者が参加しているニューズグループ名の領域名とを対応付けて格納してある利用者情報格納手段と、
表示された画像上の座標位置の指定を受け付ける座標位置受付手段と、
指定された画像上の座標位置を検出し、指定された画像上の座標位置を含む領域を確定し、該領域と前記利用者名と前記利用者情報とを照合してニューズグループの記事に対する利用者の参照権の有無を判定する判定手段と
を更に備え、
前記表示手段は、前記判定手段で参照権を有すると判定した場合に前記記事を表示するようしてあることを特徴とする請求項１に記載の記事参照装置。
【請求項３】
コンピュータに、複数のニューズグループに対してそれぞれ投稿されている記事を各ニューズグループの参照範囲とするシステムの記事を参照させるプログラムが記憶してあるコンピュータでの読み取りが可能な記録媒体において、
コンピュータに、複数のニューズグループにそれぞれ割り当てられている画像の領域を規定する領域情報に、該各領域の画像に対応するニューズグループの識別情報を含めて記憶させるステップと、
コンピュータに、前記複数のニューズグループにそれぞれ割り当てられている画像を表示させるステップと、
コンピュータに、ニューズグループを階層化するサブニューズグループを表現した部品の情報を記憶させるステップと、
コンピュータに、該サブニューズグループを表現した部品を表示させるステップと、
コンピュータに、表示されているサブニューズグループを表現した部品の中から部品の選択と、複数のニューズグループの領域のいずれかに、前記部品を貼り付ける位置の指定を受け付けさせるステップと、
コンピュータに、前記選択した部品を貼り付ける位置の指定を受け付けることにより、前記選択された部品が表現するサブニューズグループを、該部品が指定された位置を含む前記領域に対応するニューズグループのサブニューズグループとして階層化して設定させるステップと
を実行させるプログラムが記憶してあることを特徴とする記録媒体。
【請求項４】
コンピュータに、ログイン時に利用者名を受け付けさせるステップと、
コンピュータに、利用者名と、利用者が参加しているニューズグループ名の領域名とを対応付けて格納させるステップと、
コンピュータに、表示された画像上の座標位置の指定を受け付けさせるステップと、
コンピュータに、指定された画像上の座標位置を検出させ、指定された画像上の座標位置を含む領域を確定させ、該領域と前記利用者名と前記利用者情報とを照合してニューズグループの記事に対する利用者の参照権の有無を判定させるステップと、
コンピュータに、参照権を有すると判定した場合に前記記事を表示させるステップと
を実行させるプログラムが記憶してあることを特徴とする請求項３に記載の記録媒体。
【発明の詳細な説明】
【０００１】
【発明の属する技術分野】
本発明は、例えばインターネットに投稿されている記事を参照するパーソナルコンピュータ（以下、パソコンという）のような記事参照装置、及び記事参照装置での読み取りが可能な記録媒体に関する。
【０００２】
【従来の技術】
インターネット、パソコン通信等のネットワークに接続されたパソコンから記事を参照し、または投稿して、多数の人たちと意見を交換するコミュニケーション・システムが普及している。このようなコミュニケーション・システムでは、例えばテーマ別に情報を交換したりディスカッションしたりする複数のニューズグループにグループ化されている。
【０００３】
このようなニューズグループはさらに細分してサブニューズグループを形成することができる。例えば、ある趣味をテーマとしたニューズグループの参加者を対象として作品コンクールを行うような場合、作品コンクールというテーマのサブニューズグループを設定することができる。このときサブニューズグループは、記事を投稿したり、その記事を参照する権利といったようなニューズグループの属性を継承する。
【０００４】
【発明が解決しようとする課題】
しかし、サブニューズグループを設定するには、記事を管理しているニューズサーバのようなシステムに、ニュースグループの設定を要求するテキストのコマンドを発行しなければならない。サブニューズグループを設定するためには、例えばニューズグループが記事の参照権利を限定しているか否かといったようなニューズグループに関する知識がなければならない。
従って、コミュニケーション・システムに関して知識のない一般の利用者がサブニューズグループを設定することは困難であった。
【０００５】
また、従来のコミュニケーション・システムでは、ニューズグループの名称、記事の表題等がテキストによって一覧表示されるので、幼児、学童等はもちろん、一般の利用者においても、ニューズグループの性格が理解しにくい、また興味が湧きにくい等の理由により、コミュニケーションへの参加の動機づけがなされにくい。
【０００６】
本発明はこのような問題点を解決するためになされたものであって、記事を参照すべきニューズグループをその領域の指定で選択させる画像への、サブニューズグループの部品の貼り付けによってサブニューズグループを設定することにより、コミュニケーション・システムに関して知識のない一般の利用者でもサブニューズグループを容易に設定できるパソコンのような記事参照装置、及び記事参照装置での読み取りが可能な記録媒体の提供を目的とする。
【０００７】
また、本発明は、記事を参照すべきニューズグループを、ニューズグループの性格を直感的に理解でき、また興味をもちやすい画像の領域の指定で選択させることにより、一般の利用者のコミュニケーションへの参加意欲を惹起させるパソコンのような記事参照装置、及び記事参照装置での読み取りが可能な記録媒体の提供を目的とする。
【０００８】
【課題を解決するための手段】
第１発明の記事参照装置は、複数のニューズグループに対してそれぞれ投稿されている記事を各ニューズグループの参照範囲とするシステムの記事を参照する装置において、複数のニューズグループにそれぞれ割り当てられている画像の領域を規定する領域情報に、該各領域の画像に対応するニューズグループの識別情報を含めて記憶する手段と、前記複数のニューズグループにそれぞれ割り当てられている画像を表示する表示手段と、ニューズグループを階層化するサブニューズグループを表現した部品の情報を記憶する手段と、該サブニューズグループを表現した部品を表示する表示手段と、該表示手段により表示されているサブニューズグループを表現した部品の中から部品の選択と、複数のニューズグループの領域のいずれかに、前記部品を貼り付ける位置の指定を受け付ける受付手段と、該受付手段により前記選択した部品を貼り付ける位置の指定を受け付けることにより、前記選択された部品が表現するサブニューズグループを、該部品が指定された位置を含む前記領域に対応するニューズグループのサブニューズグループとして階層化して設定する手段とを備えたことを特徴とする。
【０００９】
第２の記事参照装置は、ログイン時に利用者名を受け付ける利用者名受付手段と、利用者名と、利用者が参加しているニューズグループ名の領域名とを対応付けて格納してある利用者情報格納手段と、表示された画像上の座標位置の指定を受け付ける座標位置受付手段と、指定された画像上の座標位置を検出し、指定された画像上の座標位置を含む領域を確定し、該領域と前記利用者名と前記利用者情報とを照合してニューズグループの記事に対する利用者の参照権の有無を判定する判定手段とを更に備え、前記表示手段は、前記判定手段で参照権を有すると判定した場合に前記記事を表示するようしてあることを特徴とする。
【００１０】
第３発明の記録媒体は、コンピュータに、複数のニューズグループに対してそれぞれ投稿されている記事を各ニューズグループの参照範囲とするシステムの記事を参照させるプログラムが記憶してあるコンピュータでの読み取りが可能な記録媒体において、コンピュータに、複数のニューズグループにそれぞれ割り当てられている画像の領域を規定する領域情報に、該各領域の画像に対応するニューズグループの識別情報を含めて記憶させるステップと、コンピュータに、前記複数のニューズグループにそれぞれ割り当てられている画像を表示させるステップと、コンピュータに、ニューズグループを階層化するサブニューズグループを表現した部品の情報を記憶させるステップと、コンピュータに、該サブニューズグループを表現した部品を表示させるステップと、コンピュータに、表示されているサブニューズグループを表現した部品の中から部品の選択と、複数のニューズグループの領域のいずれかに、前記部品を貼り付ける位置の指定を受け付けさせるステップと、コンピュータに、前記選択した部品を貼り付ける位置の指定を受け付けることにより、前記選択された部品が表現するサブニューズグループを、該部品が指定された位置を含む前記領域に対応するニューズグループのサブニューズグループとして階層化して設定させるステップとを実行させるプログラムが記憶してあることを特徴とする。
【００１１】
第４発明の記録媒体は、コンピュータに、ログイン時に利用者名を受け付けさせるステップと、コンピュータに、利用者名と、利用者が参加しているニューズグループ名の領域名とを対応付けて格納させるステップと、コンピュータに、表示された画像上の座標位置の指定を受け付けさせるステップと、コンピュータに、指定された画像上の座標位置を検出させ、指定された画像上の座標位置を含む領域を確定させ、該領域と前記利用者名と前記利用者情報とを照合してニューズグループの記事に対する利用者の参照権の有無を判定させるステップと、コンピュータに、参照権を有する判定した場合に前記記事を表示させるステップとを実行させるプログラムが記憶してあることを特徴とする。
【００１２】
第１及び第３発明では、記事を参照すべきニューズグループをその領域の指定で選択させる画像に、サブニューズグループを表現した部品の情報が貼り付けられると、その貼り付け位置を含む領域のニューズグループに、貼り付けられた部品が表現するサブニューズグループを設定する。
従って、コミュニケーション・システムに関して知識のない一般の利用者でもサブニューズグループを容易に設定できる。
【００１３】
第２及び第４発明では、ニューズグループの性格を直感的に理解でき、また興味をもちやすい画像の領域に割り当てておき、利用者によって領域が指定されると、指定された位置に応じたニューズグループに参照権を有する場合はこのニューズグループの記事の参照を指示する。
従って、利用者はコミュニケーションへの参加意欲が惹起される。
【００１４】
【発明の実施の形態】
図１は本発明の記事参照装置としてのパソコンの機能ブロック図、図２乃至図４は各情報の格納状態の概念図である。
領域情報格納部１は、複数のニューズグループがそれぞれに割り当てられた背景画像の各領域のXY座標、幅(W) 、高さ(H) からなる座標情報、領域に割り当てられているニューズグループ名（例:NG 01、NG 02)、サブニューズグループの部品へのポインタ（例:PARTS 01 、PARTS 02）等の属性情報を各領域の領域名（例:FIELD 01 、FIELD 02）に対応付けた領域情報を格納している（図２参照）。領域情報の領域名をニューズグループ名として、この２つのデータを１つにしてもよい。この背景画像の画像情報は、例えば、背景画像・ニューズグループ画像・サブニューズグループ画像のように、複数段階に拡大して各領域をより細密に表示するために複数レイヤーに階層化されている。
【００１５】
部品情報格納部２は、貼り付けられた部品のXY座標及び部品の幅(W) 、高さ(H) からなる座標情報、部品が表現しているサブニューズグループ名（例:SUBNG 01 、SUBNG 02）、サブニューズグループの記事情報へのポインタとしての記事名（例:ARTICLE 01 、ARTICLE 02）、部品を構成する素材データの識別情報（例:DATA 01、DATA 02 ）等の属性情報を各部品の部品名に対応付けた部品情報を格納している（図３参照）。部品情報の部品名をサブニューズグループ名として、この２つのデータを１つにしてもよい。
【００１６】
記事情報格納部３はコミュニケーション・システムに投稿されている記事の記事名（例:ARTICLE 01 、ARTICLE 02）に対応付けて、記事の内容が格納されている（図４参照）。また利用者情報格納部４には利用者名（例:USER 01、USER 02 ）に対応付けて、利用者が参加しているニューズグループ、即ち利用者が参照権を有するニューズグループに割り当てられている画像上の領域へのポインタとしての領域名（例:FIELD 01 、FIELD 02）がその属性情報として格納されている（図４参照）。
【００１７】
なお、本例ではこれらの記事情報格納部３及び利用者情報格納部４が、コミュニケーション・システムのクライアントである記事参照装置としてのパソコンに設けられている構造を示しているが、これらがコミュニケーション・システムのサーバに設けられている構造とすることも可能である。
【００１８】
表示部５は液晶ディスプレイのようなディスプレイを備え、ニューズグループがその領域に割り当てられている領域情報、背景画像に貼り付けるための部品、参照すべき記事情報等をディスプレイに表示する。
部品情報参照部６は、部品情報格納部２から部品情報を獲得して表示部５に部品を表示させ、利用者が、例えばマウスでのドラッグ・アンド・ドロップのような操作によって背景画像上の位置を確定した部品の座標情報を含む部品情報を部品情報設定部８に与える。
【００１９】
部品情報貼付け指示部７は、部品情報設定部８に部品貼り付けの指示を与え、部品情報参照部６が、獲得した部品情報を部品情報設定部８に渡し、部品情報設定部８が、部品を貼り付けたXY座標を部品情報格納部２に、部品情報の部品名を領域情報格納部１にそれぞれ設定する。
【００２０】
ニューズグループ参照指示部９は、キーボード、マウス等により利用者が入力したXY座標を検知し、参照権利判定部10に指示する手段である。
【００２１】
参照権利判定部10は、ニューズグループ参照指示部９から渡されたXY座標とログイン時の利用者名と領域情報格納部１の領域の座標情報とに基づき、指定した領域を確定し、指定した領域と、利用者情報格納部４に格納されている、利用者が参加しているニューズグループ名の領域名とを照合して、参照対象として指定されたニューズグループに利用者が参照権を有するか否かを判定する。利用者が参照権を有するニューズグループである場合は指定されたニューズグループの記事情報を表示部５に表示させ、参照権がない場合は参照を禁止する。
また、参照権利判定部10は、サブニューズグループを指定された時には、指定した領域を確定する際に、ニューズグループ参照指示部９から渡されたXY座標と、部品情報格納部２とから、指定された部品を確定する。
【００２２】
次に、本発明の記事参照装置のサブニューズグループ設定時の手順を図５及び図６の設定例の図と、図７のフローチャートとに基づいて説明する。
利用者は、例えばマウスのドラッグ・アンド・ドロップによって、背景画像のいずれかの領域に部品を貼り付ける（ステップS1）。
【００２３】
図５では、山、海をそれぞれのテーマとするニューズグループ「山」(X1, Y1, W1, HI)と「海」(X2, Y2, W2, H2)とが、背景画像のそれぞれの領域に割り当てられており、「山」をテーマとするニューズグループには、これを細分する「小屋１」（例えば、植物をテーマとする）というサブニューズグループが既に形成されている。
【００２４】
その状態で、利用者が小屋の部品を「山」の領域に貼り付けると、ニューズグループ「山」に、「小屋１」とは別のサブニューズグループ「小屋２」（例えば、釣りをテーマとする）が設定される。
図５の下半部は、サブニューズグループ「小屋２」の設定後の領域情報、及び設定に使用した部品情報の格納状態の概念図である。
【００２５】
図６では、２つの学校の関係者がそれぞれの参加者であるニューズグループ「学校１」(X1, Y1, W1, HI)と「学校２」(X2, Y2, W2, H2)とが、背景画像のそれぞれの領域に割り当てられており、ニューズグループ「学校２」には、これを細分する「教室２」（例えば、授業内容をテーマとする）というサブニューズグループが既に形成されている。その状態で、利用者が教室の部品を「教室１」の領域に貼り付けると、ニューズグループ「学校１」に、「教室１」（例えば、授業内容をテーマとするというサブニューズグループが形成される。
【００２６】
ここで、「教室１」と「教室２」とは同じテーマのグループであるが、その話題空間に参加できるのは「教室１」の場合はニューズグループ「学校１」の参加者であり、また「教室２」の場合はニューズグループ「学校２」の参加者である。
図６の下半部は、サブニューズグループ「教室１」の設定後の領域情報、及び設定に使用した部品情報の格納状態の概念図である。
【００２７】
以上のようにして部品が貼り付けられると、部品情報参照部６は部品情報格納部２から部品情報を獲得し、部品の座標情報を含む部品情報を部品情報設定部８に渡す（ステップS2）。
部品情報設定部８は、領域情報格納部１にある各領域の座標情報と、部品情報参照部６から渡された部品の座標情報とを比較し、対応する領域の属性情報（部品へのポインタ）を格納する領域に、貼り付けられた部品のポインタを設定する（ステップS3）。
【００２８】
さらに、本発明の記事参照装置のニューズグループ参照時の手順を図８のフローチャートに基づいて説明する。
利用者が画面上のニューズグループ、サブニューズグループの部品をXY座標で指示すると（ステップS11 ）、ニューズグループ参照指示部９が、該XY座標を参照権利判定部10に渡し、参照権利判定部10はXY座標とログイン時の利用者名をもとに、領域格納部１内の領域の属性情報と利用者情報格納部４内の利用者の属性情報（領域へのポインタ）を参照する（ステップS12 ）。
【００２９】
利用者の指定した部品が利用者の属性情報の領域内にあるか否かを、ニューズグループの部品の場合は利用者情報と領域情報を参照して、またサブニューズグループの部品の場合はさらに部品の属性情報を参照して判断し（ステップS13 ）、部品が領域内にない場合は参照を拒否する。
利用者の指定した部品が利用者の属性情報の領域内にある場合は、表示部５が指示された部品の属性情報（記事情報へのポインタ）を参照して記事情報を表示する（ステップS14 ）。
【００３０】
図９は、本発明を実現するためのハードウェア構成を示す模式図である。本ハードウェアは、処理装置としてのパーソナルコンピュータ81と、文字データ等を表示するディスプレイ82と、入力装置としてのキーボード83及びマウス84とを備える。パーソナルコンピュータ81は、上述したような処理を行うためのプログラムを、磁気ディスク，CD-ROM等の可搬型記録媒体85、パーソナルコンピュータ81と無線又は有線にてプログラムの通信が可能な、例えばセンタに備えられた回線先メモリ86、あるいは、パーソナルコンピュータ81に備えつけられたRAM 、ハードディスク等の処理装置側メモリ87等の記録媒体からロードする。
【００３１】
【発明の効果】
以上のように、本発明の記事参照装置及び記録媒体は、記事を参照すべきニューズグループをその領域の指定で選択させる画像への、サブニューズグループの部品の貼り付けによってサブニューズグループを設定するので、コミュニケーション・システムに関して知識のない一般の利用者でもサブニューズグループを容易に設定できるという優れた効果を奏する。
【００３２】
また本発明の記事参照装置及び記録媒体は、記事を参照すべきニューズグループを、ニューズグループの性格を直感的に理解でき、また興味をもちやすい画像の領域の指定で選択させるので、一般の利用者のコミュニケーションへの参加意欲を惹起するという優れた効果を奏する。
【図面の簡単な説明】
【図１】本発明の記事参照装置のブロック図である。
【図２】領域情報の格納状態の概念図である。
【図３】部品情報の格納状態の概念図である。
【図４】記事情報及び利用者情報の格納状態の概念図である。
【図５】本発明のサブニューズグループの設定例（その１）の図である。
【図６】本発明のサブニューズグループの設定例（その２）の図である。
【図７】本発明のサブニューズグループ設定時のフローチャートである。
【図８】本発明のニューズグループ参照時のフローチャートである。
【図９】本発明を実現するためのハードウェア構成を示す模式図である。
【符号の説明】
１  領域情報格納部
２  部品情報格納部
５  表示部
６  部品情報参照部
７  部品情報貼付け指示部
８  部品情報設定部
９  ニューズグループ参照指示部
10  参照権利判定部
【図１】
0004067153.tif 000002
【図２】
0004067153.tif 000003
【図３】
0004067153.tif 000004
【図４】
0004067153.tif 000005
【図５】
0004067153.tif 000006
【図６】
0004067153.tif 000007
【図７】
0004067153.tif 000008
【図８】
0004067153.tif 000009
【図９】
0004067153.tif 000010